(57)【特許請求の範囲】
【請求項１】
開口を有する配線用ボックスと、該開口にその開口を閉止すべく取り付けられるボックスカバーとからなり、
前記配線用ボックスには、相対向する一対の側壁に係合部を備え、
前記ボックスカバーには、相対向する一対の側部に前記係合部が係合する被係合部及び
前記係合部と前記被係合部とが係合して前記配線用ボックスに前記ボックスカバーを取り付けた状態で、その係合状態を維持すべく、前記係合部を備えた一対の側壁の内側と外側に当接して、該側壁の変形を防止する前記カバーの裏面から突出して形成された変形防止部とを備え、
前記係合部と前記被係合部とは、前記ボックスカバーを前記係合部と前記被係合部との位置をずらせて配線用ボックスの開口面に当接された状態であって、前記係合部が前記被係合部に隣接する位置から、前記開口面に沿って移動することにより、前記係合部が前記被係合部にそれぞれ係合して、前記配線用ボックスの開口を閉止すべく該配線用ボックスに取付られるようにし、前記ボックスカバーが、前記配線用ボックスに取り付けられた閉止状態から前記係合部が前記被係合部に前記隣接する位置まで移動することにより、前記係合部と前記被係合部とのそれぞれの係合が解除され、前記開口を開放すべく該配線用ボックスから取り外し可能なように構成されていることを特徴とする配線用ボックス装置。
【請求項２】
係合部は、配線用ボックスの側壁の内側に形成されていることを特徴とする請求項１記載の配線用ボックス装置。
【請求項３】
係合部は、配線用ボックスの側壁の外側に形成されていることを特徴とする請求項１記載の配線用ボックス装置。
【請求項４】
係合部は、一対の第一係合部及び第二係合部がそれぞれ間隔をおいて設けられて構成され、被係合部は、前記第一係合部及び第二係合部にそれぞれ係合する一対の第一被係合部、第二被係合部が間隔をおいて設けられて構成され、
ボックスカバーは、前記両係合部と両被係合部との位置をずらせて配線用ボックスの開口面に当接された状態であって、前記両係合部が両被係合部に隣接する位置から、前記開口面に沿って移動することにより、前記両係合部が両被係合部にそれぞれ係合して、前記配線用ボックスの開口を閉止すべく該配線用ボックスに取り付けられられるようにし、
前記ボックスカバーは、前記配線用ボックスに取り付けられた閉止状態から前記両係合部が両被係合部に前記隣接する位置まで移動することにより、前記両係合部と両被係合部とのそれぞれの係合が解除され、前記開口を開放すべく該配線用ボックスから取り外し可能であることを特徴とする請求項１〜３のいずれか記載の配線用ボックス装置。
【請求項５】
ボックスカバーには、配線用ボックスの開口を閉止する際に該ボックスの側壁に接触する勾配側と、その閉止状態では、該側壁の反対側に接触する直立側とを備えた規制部を設けたことを特徴とする請求項４記載の配線用ボックス装置。
【請求項６】
ボックスカバーは、配線用ボックスの開口を全閉することと特徴とする請求項１から５のいずれか記載の配線用ボックス装置。
【請求項７】
ボックスカバーは、コンセント等の配線器具を前記ボックスカバーの内外を通過させて配設するための開口部を有してなることを特徴とする請求項１から６のいずれか記載の配線用ボックス装置。
【発明の詳細な説明】
【技術分野】
【０００１】
本発明は、二重天井内などに設置され、あるいはコンクリート壁内などに埋設され、種々の配線や配線器具の取り付けなどを行うための配線用ボックス装置、この装置を構成するボックスカバーに関する。
【背景技術】
【０００２】
従来より、配線用ボックス装置は、箱状であって、その一面あるいは両面を開口させた配線用ボックスと、この配線用ボックスの開口部に着脱自在に取り付けられるボックスカバーから構成され、ボックスカバーを外した状態で、電線管等の配管作業を行い、その後、ボックスカバーを配線用ボックスに取り付け、型枠を設置後コンクリートを打設し、ついで型枠を取り外すことにより露出するボックスカバーの前面に配線器具を取り付ける方法が長年行われていた。
【０００３】
このような配線用ボックス装置の一例は、特許文献２に記載されたものであって、概要を図１０に示す。この図１０（ａ）はそのボックスカバーの斜視図、（ｂ）はその配線用ボックス装置の使用状態を示す横断面図である。
【０００４】
この配線用ボックス装置１１は、底付き箱形の配線用ボックス１３と、この配線用ボックス１３の開口を閉止するボックスカバー１４とを備えている。
【０００５】
配線用ボックス１３は、側壁１６を備え、その相対向する一対の側壁１６の開口側端面に、凹条２０が設けられ、鉄筋２８に取り付けられている。
【０００６】
ボックスカバー１４は、配線用ボックス１３の側壁１６端面に当接する基板２３と、この基板２３の中央部分に設けられた開口部２４、この基板２３の周縁に設けられ、側壁１６の外側に当接するように延びるリブ２６と、基板２３が配線用ボックス１３の側壁１６端面に当接した際、凹条２０に嵌まり込む凸条２７を備えている。
【０００７】
ボックスカバー１４のリブ２６内側で、配線用ボックス１３の側壁１６の外側上面に当接する部分には、ボックスカバー１４と配線用ボックス１３とをワンタッチで係合させる被係合部２６ａが設けられ、これに対応して、配線用ボックス１３の側壁１６側にも係合部１６ａが設けられている。
【０００８】
このような構成で、この配線用ボックス装置１１によれば、係合部１６ａと被係合部２６ａの係合により開口方向からのワンタッチ操作でボックスカバー１４を配線用ボックス１３に取り付けることができ、この係合部１６ａを有する側壁１６に直交する側壁１６では、配線用ボックス１３側の凹条２０に、ボックスカバー１４側の凸条２７が嵌まり込んで、この方向の側壁１６の変形を防止している。
【０００９】
しかしながら、この変形防止機能を発揮する凹条２０、凸条２７の組み合わせは、係合部１６ａを有する側壁１６とは直交する側壁１６に設けられており、コンクリート打設による外力が係合部１６ａを有する側壁１６側に作用した場合には、係合部１６ａと被係合部２６ａの係合が解除されることがあり、配線用ボックス１３とボックスカバー１４との間に隙間が生じて、セメントが流れ込むことがあった。
【００１０】
また、特許文献１に記載された配線用ボックス装置は、そのボックスカバーの周縁に、配線用ボックスの側壁の内側、外側に当接するような変形防止部が設けられ、閉止状態のボックス装置へのセメントの流入、コンクリート打設による配線用ボックスの側壁の変形を防止するものであるが、ボックスカバーの配線用ボックスへの取付は、ネジ止めによるものであり、着脱に手間を要するものであった。
【００１１】
特許文献３に記載された配線用ボックス装置は、配線用ボックスの開口面に沿ってボックスカバーをスライドさせてフタをするものであり、両者の係合を保持する係合部、被係合部を有するものであるが、ボックスカバーが配線用ボックスの側壁の内外両側への変形を防止するような構造になっておらず、この変形による両者間の隙間生成、カバーが外れるといったことを避けられず、セメントの流入を完全に阻止できるものではなかった。
【特許文献１】特開平１−１２３４１０号公報（第２図）
【特許文献２】特開２００３−１６９４１３号公報（図３、図４）
【特許文献３】意匠登録第１１９４８８７号公報（正面図、使用状態を示す参考図２、３、４）
【発明の開示】
【発明が解決しようとする課題】
【００１２】
本発明は、上記の問題を解決しようとするものであり、ボックスカバーを配線用ボックスにワンタッチで取付可能であって、かつ、配線用ボックスの変形を生じず、ボックスカバーが外れたり、隙間を生じたりすることのない、配線用ボックス装置、ボックスカバーを提供することを目的とする。
【課題を解決するための手段】
【００１３】
請求項１記載の配線用ボックス装置は、開口を有する配線用ボックスと、該開口にその開口を閉止すべく取り付けられるボックスカバーとからなり、
前記配線用ボックスには、相対向する一対の側壁に係合部を備え、
前記ボックスカバーには、相対向する一対の側部に前記係合部が係合する被係合部及び
前記係合部と前記被係合部とが係合して前記配線用ボックスに前記ボックスカバーを取り付けた状態で、その係合状態を維持すべく、前記係合部を備えた一対の側壁の内側と外側にに当接して、該側壁の変形を防止する前記カバーの裏面から突出して形成された変形防止部とを備え、
前記係合部と前記被係合部とは、前記ボックスカバーを前記係合部と前記被係合部との位置をずらせて配線用ボックスの開口面に当接された状態であって、前記係合部が前記被係合部に隣接する位置から、前記開口面に沿って移動することにより、前記係合部が前記被係合部にそれぞれ係合して、前記配線用ボックスの開口を閉止すべく該配線用ボックスに取付られるようにし、前記ボックスカバーが、前記配線用ボックスに取り付けられた閉止状態から前記係合部が前記被係合部に前記隣接する位置まで移動することにより、前記係合部と前記被係合部とのそれぞれの係合が解除され、前記開口を開放すべく該配線用ボックスから取り外し可能なように構成されていることを特徴とする。
【００１４】
請求項２記載の配線用ボックス装置は、請求項１に従属し、係合部は、配線用ボックスの側壁の内側に形成されていることことを特徴とする。
【００１５】
請求項３記載の配線用ボックス装置は、請求項１に従属し、係合部は、配線用ボックスの側壁の外側に形成されていることを特徴とする。
【００１８】
請求項４記載の配線用ボックス装置は、請求項１から３のいずれかに従属し、係合部は、一対の第一係合部及び第二係合部がそれぞれ間隔をおいて設けられて構成され、被係合部は、前記第一係合部及び第二係合部にそれぞれ係合する一対の第一被係合部、第二被係合部が間隔をおいて設けられて構成され、
ボックスカバーは、前記両係合部と両被係合部との位置をずらせて配線用ボックスの開口面に当接された状態であって、前記両係合部が両被係合部に隣接する位置から、前記開口面に沿って移動することにより、前記両係合部が両被係合部にそれぞれ係合して、前記配線用ボックスの開口を閉止すべく該配線用ボックスに取り付けられるようにし、
前記ボックスカバーは、前記配線用ボックスに取り付けられた閉止状態から前記両係合部が両被係合部に前記隣接する位置まで移動することにより、前記両係合部と両被係合部とのそれぞれの係合が解除され、前記開口を開放すべく該配線用ボックスから取り外し可能であることを特徴とする。
【００１９】
請求項５記載の配線用ボックス装置は、請求項４に従属し、ボックスカバーには、配線用ボックスの開口を閉止する際に該ボックスの側壁に接触する勾配側と、その閉止状態では、該側壁の反対側に接触する直立側とを備えた規制部を設けたことを特徴とする。
【００２０】
請求項６記載の配線用ボックス装置は、請求項１から５のいずれかに従属し、ボックスカバーは、配線用ボックスの開口を全閉することと特徴とする。
【００２１】
請求項７記載の配線用ボックス装置は、請求項１から６のいずれかに従属し、ボックスカバーは、コンセント等の配線器具を前記ボックスカバーの内外を通過させて配設するための開口部を有してなることを特徴とする。
【発明の効果】
【００２３】
請求項１から３記載の配線用ボックス装置によれば、配線用ボックスに係合部を、ボックスカバーにこれに対応した被係合部と変形防止部とを設けたので、両者の係合が外力による変形によって解除されることがなく、ボックスカバーが外れたり、隙間を生じたりすることがなくなる。
【００２４】
特に、請求項２記載の配線用ボックス装置によれば、配線用ボックスの係合部は側壁の内側に形成されているので、通常そうであるようにコンクリート打設圧が外側から内側に加わっても、係合部と被係合部とがより係合する方向に力が作用することとなり、配線用ボックスからボックスカバーが外れることがない。
【００２５】
請求項１記載の配線用ボックス装置によれば、更に、変形防止部は、配線用ボックスの側壁の内側と外側に、つまり係合部が備えられた側にも当接するように設けられているので、より良く、配線用ボックスの側壁の変形を防止し、また、外からの異物の進入を防止することができる。
【００２６】
請求項１記載の配線用ボックス装置によれば、更に、係合部及び被係合部は、ボックスカバーが配線用ボックスの開口面に沿って移動することにより、係脱自在に形成されているので、閉止状態で、配線用ボックスの開口方向へ相当大きな力が作用しても、ボックスカバーが配線用ボックスから外れる、ということがなく、安全性が高い。
【００２７】
請求項４記載の配線用ボックス装置によれば、請求項１から３のいずれかの効果に加え、配線用ボックスの係合部とボックスカバーの被係合部とをそれぞれ短寸の第１、２係合部、第１、２被係合部として、間隔をおいて設置し、非設置部が確保できるようにしたので、ワンタッチ操作で、両者の係脱が可能となっている。
【００２８】
請求項５記載の配線用ボックス装置によれば、請求項４の効果に加え、ボックスカバーには、配線用ボックスの開口を閉止する方向の移動は許可し、その閉止状態からの戻り方向への移動を規制する規制部を設けたので、閉止には支障が少なく、閉止解除は困難で、閉止状態が良好に維持される。
【００２９】
請求項６記載の配線用ボックス装置によれば、請求項１から５のいずれかの効果に加え、ボックスカバーは、配線用ボックスの開口を全閉するので、外部からの異物進入を完全に防止することができる。
【００３０】
請求項７記載の配線用ボックス装置によれば、請求項１から６のいずれかの効果に加え、ボックスカバーは開口部を備えているので、コンセント等の配線器具や配線をボックスカバーの内外を通過させて配設することができる。
【発明を実施するための最良の形態】
【００３２】
以下に、本発明の実施の形態（実施例）について、図面を用いて説明する。
【実施例１】
【００３３】
図１は、本発明の配線用ボックス装置の一例を構成するボックスカバーを示すもので、（ａ）はその正面図、（ｂ）は側面図、（ｃ）は要部断面図、図２（ａ）は図１のボックスカバーの裏面図、（ｂ）は（ａ）の側面図である。
【００３４】
このボックスカバー１は、図３に示す配線用ボックス５と組み合わせて用いられ、この配線用ボックス５の開口を閉止するもので、全体的には、平板四角状である。
【００３５】
ボックスカバー１の表側（図１（ａ）に示した側）には、ノックアウトの開口部１ａが複数設けられている。この開口部１ａは、このボックスカバー１と図３に示す配線用ボックス５とで構成される配線用ボックス装置１０（図４、５参照。）を取り付ける現場で、必要に応じて、手指や工具などで容易に打ち抜くことで、実際の貫通した開口部１ａとして、電線管などを通すことができるものである。
【００３６】
ボックスカバー１の裏側（図２（ａ）に示した側で、配線用ボックス５に当接する側）の各辺縁部分には、閉止対象である配線用ボックス５の側壁５ａの外側に当接するように設けられたスカート状の変形防止部３が設けられている。
【００３７】
この変形防止部３に、配線用ボックス５の相対向する一対の側壁５ａを挟んで対向する側部には、その側壁５ａの内側に設けられた係合部６に係合する被係合部２が設けられている。
【００３８】
また、この被係合部２側にも、辺縁の変形防止部３に対向して、被係合部２の設置部分を除いて、配線用ボックス５の側壁５ａの内側に当接するように設けられたスカート状の変形防止部３Ａが設けられている。
【００３９】
この例では、被係合部２は、配線用ボックス５の側壁５ａの周縁方向の全長に渡るものではなく、この側壁５ａの開口側端面側で内側に突出している係合部６と同様に、側壁５ａの周縁方向の全長の一部分に渡る短寸のものであり、また、この周縁上に間隔をおいて２箇所設けられている。
【００４０】
この２箇所の被係合部２をそれぞれ、第１被係合部２Ａ、第２被係合部２Ｂと符号を付けることとする。
【００４１】
また、被係合部２側に設けられた変形防止部３Ａが連続したものでなく、一部、設けられていない非設置部３ａがあるが、これは図４（ａ）で説明するように、この非設置部３ａに配線用ボックス５の側壁５ａに設けられた係合部６をセット可能とするためである。
【００４２】
ボックスカバー１の辺縁に設けられた変形防止部３は、その全辺縁にあるのではなく、被係合部２が設けられた辺縁と直交する辺縁の内、一方の辺縁には、設けられていない。
【００４３】
この変形防止部３の設けられていない辺縁には、ボックスカバー１の配線用ボックス５の開口を閉止する方向の移動は許可し、その閉止状態からの戻り方向への移動を規制する規制部４が設けられている。
【００４４】
この規制部４に配線用ボックス５の側壁５ａを挟んで対向する部分には、変形防止部３Ａと同形状のリブ１ｂが立設されている。
【００４５】
図３は、図１、２のボックスカバーと組み合わせて用いられる配線用ボックスを示すもので、（ａ）はその正面図、（ｂ）はその側面図である。
【００４６】
この配線用ボックス５は、ボックスカバー１の外形形状に対応した四角形状であって、その側壁５ａの両側が開口となっている。つまり、四角筒形状となっている。
【００４７】
配線用ボックス５の４辺の側壁５ａの内、相対向する一対の側壁５ａの端部内側には所定の間隔をおいて、その一辺の側壁５ａの全長に渡るのではなく、ごく一部に渡る短寸の係合部６が二か所設けられている。
【００４８】
この２箇所の係合部６を、ボックスカバー１の第１被係合部２Ａ、第２被係合部２Ｂと対応させて、第１係合部６Ａ、第２係合部６Ｂと符号を付けることとする。
【００４９】
このような構成のボックスカバー１、配線用ボックス５の使用方法について、以下説明する。
【００５０】
図４（ａ）、（ｂ）は、図１のボックスカバー、図３の配線用ボックスで構成される配線用ボックス装置の使用方法を説明する要部斜視図、（ｃ）は（ｂ）の規制部部分の拡大断面図、図５（ａ）は、図４に続き、図１のボックスカバー、図３の配線用ボックスで構成される配線用ボックス装置の使用方法を説明する要部斜視図、（ｂ）は（ａ）の係合部部分の拡大断面図、（ｃ）は、（ａ）の規制部部分の拡大断面図である。
【００５１】
図４（ａ）は、ボックスカバー１、配線用ボックス５で構成される配線用ボックス装置１０の使用方法を説明するもので、配線用ボックス５の係合部６のある側を下にして、この下方からボックスカバー１の裏面を上にして、その非設置部３ａに配線用ボックス５の係合部６が位置するように、つまり、ボックスカバー１の被係合部２（２Ａ）とこれと離間した位置にある変形防止部３Ａとの間に来るように、ボックスカバー１を図示した白矢印（１）（図面では、○囲み数字で表記。以下、同様。）の方向（上方）に移動させて、配線用ボックス５に当接させる。
【００５２】
この際、配線用ボックス５の係合部６のある一対の側壁５ａは、ボックスカバー１の外縁の一対の変形防止部３と被係合部２（２Ａ、２Ｂ）＋変形防止部３Ａとの間に挟まれて、ガイドされた状態となっている。
【００５３】
次いで、上記ガイドで規制されながら、図示した白矢印（２）の方向にボックスカバー１を移動させると、図４（ｂ）、（ｃ）に示すように、ボックス５の係合部６の内側の側壁５ａの内側端が規制部４の勾配側４ａに当接する状態となる。
【００５４】
この規制部４の勾配側４ａは、ボックスカバー１を人手でより強い力で白矢印（３）方向に推すようにすると、側壁５ａがその可撓性の範囲内でその勾配側４ａに沿って変形して、これを乗り越え、図５に示す完全閉止状態となる。
【００５５】
つまり、白矢印（１）、（２）（３）のようなワンタッチの操作により、ボックスカバー１で配線用ボックス５を完全閉止することができる。
【００５６】
この完全閉止状態では、図５（ｂ）に示すように、ボックス５の側壁５ａの係合部６は、外側はボックスカバー１の変形防止部３で、内側は被係合部２（２Ａ、２Ｂ）で規制されて変形防止されている。
【００５７】
つまり、ここでは、被係合部２（２Ａ、２Ｂ）は、係合部６とワンタッチ係合して、ボックスカバー１が配線用ボックス５の開口方向の力に抗して開くのを防止すると同時に、変形防止機能も有しているのである。
【００５８】
一方、この係合部６を有する側壁５ａの他の部分は、図５（ｃ）に示すように、ボックスカバー１の外側の変形防止部３と内側の変形防止部３Ａとに挟まれて、変形防止されている。
【００５９】
この内側の変形防止部３Ａは、変形防止という機能だけについて考えれば、この側壁５ａについては、すでに被係合部２（２Ａ、２Ｂ）で、変形防止が達成されているので、設けないようにしてもよいが、変形防止をより完全なものとするためには、あった方が良い。
【００６０】
また、側壁５ａを両側から挟んで、外部からのセメントなどの進入を防ぐという意味では、この変形防止部３Ａも設けるようにするのが良い。
【００６１】
係合部６を有する一対の側壁５ａに直交する方向に隣接する側壁５ａの一方は、図５（ｄ）に示すように、外側は規制部４、内側はリブ１ｂに規制されて、変形防止と外部からの異物進入防止が達成されている。
【００６２】
また、ここでは、側壁５ａは規制部４の直立側４ｂに規制されて、少々の力で図示する白矢印（５）の方向に押しても移動することがない。
【００６３】
係合部６を有する一対の側壁５ａに直交する方向に隣接する側壁５ａの他方は、図５（ｅ）に示すように、その外側だけが変形防止部３に規制され、外への変形防止と外部からの進入防止が達成されている。
【００６４】
この完全閉止状態から、ボックスカバー１を取り外す際には、まず、カバー１の規制部４がある部分に、図５（ｄ）に白矢印（４）で示す方向の押す力を加え、側壁５ａが規制部４の直立側４ｂに規制されないようにしてから、白矢印（５）で示す方向に押すと、図４（ａ）の状態とする。
【００６５】
このようにして、この配線用ボックス装置１０によれば、配線用ボックス５に係合部６を、ボックスカバー１にこれに対応した被係合部２と変形防止部３とを設けたので、両者の係合が外力による変形によって解除されることがなく、ボックスカバーが外れたり、隙間を生じたりすることがなくなる。
【００６６】
また、被係合部２は、係合部６との係合と、変形防止という二つの機能を発揮し、殊更、別個に内側の変形防止部を設ける必要がなくない、コストダウンを図ることができる。
【００６７】
変形防止部３Ａは、上述したように、被係合部２を設けた側にも設けることができ、その場合には、変形防止をより完全なものとし、また、外からの異物の進入防止効果をより高めることができる。
【００６８】
配線用ボックス５の係合部６は側壁５ａの内側に形成されているので、通常そうであるようにコンクリート打設圧が外側から内側に加わっても、係合部６と被係合部２とがより係合する方向に力が作用することとなり、配線用ボックス５からボックスカバー１が外れることがない。
【００６９】
配線用ボックス５の係合部６とボックスカバー１の被係合部２とは、ボックスカバー１が配線用ボックス５の開口面に沿って移動することにより係脱自在に形成され、閉止状態でボックス５の開口方向からには係脱しないようになっているので、通常そうであるように、コンクリート打設により配線用ボックス５の開口方向へ相当大きな力が作用しても、ボックスカバー１が配線用ボックス５から外れる、ということがなく、安全性が高い。
【００７０】
また、ボックスカバー１による配線用ボックス５の閉止状態は、配線用ボックス５の開口を閉止する方向の移動は許可する勾配側４ａとその閉止状態からの戻り方向への移動を規制する直立側４ｂとを備えた規制部４によって維持されているので、閉止には支障が少なく、閉止解除は困難で、閉止状態が良好に維持される。
【００７１】
また、配線用ボックス５の係合部６とボックスカバー１の被係合部２とをそれぞれ短寸の第１、２係合部６Ａ、６Ｂ、第１、２被係合部２Ａ、２Ｂとして、間隔をおいて設置し、非設置部３ａが確保できるようにしたので、図４（ａ）、（ｂ）の白矢印（１）、（２）、（３）で説明したようなワンタッチ操作で、両者の係脱が可能となっている。
【００７２】
ボックスカバー１は配線用ボックス５を完全閉止するようになっているので、外部からの異物進入を完全に防止することができる。
【００７３】
更に、開口部１ａがボックスカバー１に設けられているので、コンセント等の配線器具や種々の配線を配線管などを介してボックスカバー１の内外を通過させて配設することができる。
【００７４】
なお、上記では、配線用ボックス５において係止部６を側壁５ａの内側に、ボックスカバー１の被係止部２をこれに対応するようにしたが、係止部を側壁５ａの外側に設け、ボックスカバー１の被係止部をそれに対応するようにしてもよく、この場合にも、内外の変形防止部も同様に設けることができ、それぞれ同様の効果を発揮する。
【００７５】
また、ボックスカバー１は、その担当する範囲で、上記配線用ボックス装置１０の効果を、ボックスカバーとして発揮する。
＜参考例＞
【実施例２】
【００７６】
図６は、本発明の配線用ボックス装置の参考例を構成するボックスカバーの正面図、図７（ａ）は、図６のボックスカバーの裏面図、（ｂ）はその側面図、（ｃ）は（ｂ）の要部斜視図である。
【００７７】
これより、すでに説明した部分と同じ部分には同じ符号を付して重複説明を省略する。また、煩雑さを避けるために、全ての符号を繰り返して記載しない場合がある。
【００７８】
このボックスカバー１Ａは、図８に示す配線用ボックス５Ａと組み合わせて用いられ、この配線用ボックス５Ａの開口を閉止するもので、全体的には、平板四角状である。
【００７９】
ボックスカバー１Ａの表側（図６に示した側）には、図１のボックスカバー１と同様のノックアウトの開口部１ｃが複数個設けられている。
【００８０】
ボックスカバー１Ａの裏側（図７（ａ）に示した側）辺縁には、図１のボックスカバー１の変形防止部３と同様の変形防止部３Ｂが設けられている。
【００８１】
このボックスカバー１Ａの被係合部２Ｃは、図１のボックスカバー１の被係合部２と大幅に形状が異なり、後に図９で説明するように、配線用ボックス５Ａの開口方向から被せて、そのままの方向でボックスカバー１を配線用ボックス５Ａに押し当てることで、配線用ボックス５Ａの係合部６Ｃとの係合が可能となるもので、素材の可撓性を利用し、係合凸部２ａを備えた爪形状となっている。
【００８２】
図８は、図６、７のボックスカバーと組み合わせて用いられる配線用ボックスを示すもので、（ａ）はその正面図、（ｂ）はその側面図である。
【００８３】
この配線用ボックス５Ａは、ボックスカバー１Ａの外形形状に対応した四角形状であって、その側壁５ｂの両側が開口となっている。つまり、四角筒形状となっている。この側壁５ｂは図３の配線用ボックス５の側壁５ａと同様のものである。
【００８４】
配線用ボックス５Ａにも、係合部６Ｃが設けられているが、この係合部６Ｃは、ボックスカバー１Ａの被係合部２Ｃに対応したもので、この被係合部２Ｃの係合凸部２ａが嵌まり込むような係合窓６ａを備えている。
【００８５】
このような構成のボックスカバー１Ａ、配線用ボックス５Ａの使用方法について、以下説明する。
【００８６】
図９（ａ）、（ｂ）は、図６のボックスカバー、図８の配線用ボックスで構成される配線用ボックス装置の使用方法を説明する要部斜視図、（ｃ）は（ｂ）の要部断面図である。
【００８７】
図９（ａ）、（ｂ）は、ボックスカバー１Ａ、配線用ボックス５Ａで構成される配線用ボックス装置１０Ａの使用方法を説明するものである。
【００８８】
図９（ａ）に示すように、配線用ボックス５Ａの係合部６Ｃのある側を上にして、この上方からボックスカバー１Ａの裏面を下にして、その被係合部２Ｃが、配線用ボックス５Ａの係合部６Ｃに係合するような位置で、ボックスカバー１Ａを図示した白矢印の方向（下方）に移動させて、配線用ボックス５Ａに当接させる。
【００８９】
すると、図９（ｂ）、（ｃ）に示すように、ボックスカバー１Ａの被係合部２Ｃと配線用ボックス５Ａの係合部６Ｃが係合して、外れないようになる。
【００９０】
こうして、この配線用ボックス装置１０Ａによれば、ボックスカバー１Ａが配線用ボックス５Ａにワンタッチ係合し、その係合部分では、配線用ボックス５Ａの側壁５ｂは、ボックスカバー１Ａの被係合部２Ｃと変形防止部３Ｂとの間に挟まれて、外力が作用しても変形することがなく、ボックスカバー１Ａの被係合部２Ｃと配線用ボックス５Ａの係合部６Ｃとの係合が解除されず、ボックスカバー１Ａが外れたり、隙間を生じたりすることがない。
【００９１】
ボックスカバー１Ａを取り外す際には、図９（ｃ）で解るように、被係合部２Ｃの係合凸部２ａと係合部６Ｃの係合窓６ａとの係合状態を、この係合窓６ａで係合凸部２ａを押すことによって、解除すれば良い。
【００９２】
こうして、この配線用ボックス装置１０Ａによれば、実施例１の配線用ボックス装置１０と同様の効果を発揮し、また、そのボックスカバー１Ａは、その担当する範囲で、この配線用ボックス装置１０Ａの発揮する効果をボックスカバーとして発揮する。
【００９３】
なお、このボックスカバー１Ａの場合、外側の変形防止部３Ｂと対向して、配線用ボックス５Ａの側壁５ｂに内側で当接する変形防止部を設けてはいないが、そのような変形防止部を設けるようにしてもよい。
【００９４】
上記の実施例及び参考例は、いずれも、特許請求の範囲に記載の本発明の例示にすぎず、本発明はこれらの実施例等だけに限定されるものではない。
【産業上の利用可能性】
【００９５】
本発明の配線用ボックス装置、ボックスカバーは、ボックスカバーを配線用ボックスにワンタッチで取付可能であって、かつ、配線用ボックスの変形を生じず、ボックスカバーが外れたり、隙間を生じたりすることのないことが要請されるあらゆる産業上の分野に用いることができる。
【図面の簡単な説明】
【００９６】
【図１】本発明の配線用ボックス装置の一例を構成するボックスカバーを示すもので、（ａ）はその正面図、（ｂ）は側面図、（ｃ）は要部断面図
【図２】（ａ）は図１のボックスカバーの裏面図、（ｂ）は（ａ）の側面図
【図３】図１、２のボックスカバーと組み合わせて用いられる配線用ボックスを示すもので、（ａ）はその正面図、（ｂ）はその側面図
【図４】（ａ）、（ｂ）は、図１のボックスカバー、図３の配線用ボックスで構成される配線用ボックス装置の使用方法を説明する要部斜視図、（ｃ）は（ｂ）の規制部部分の拡大断面図
【図５】（ａ）は、図４に続き、図１のボックスカバー、図３の配線用ボックスで構成される配線用ボックス装置の使用方法を説明する要部斜視図、（ｂ）は（ａ）の係合部部分の拡大断面図、（ｃ）は、（ａ）の規制部部分の拡大断面図
【図６】本発明の配線用ボックス装置の参考例を構成するボックスカバーの正面図
【図７】（ａ）は、図６のボックスカバーの裏面図、（ｂ）はその側面図、（ｃ）は（ｂ）の要部斜視図
【図８】図６、７のボックスカバーと組み合わせて用いられる配線用ボックスを示すもので、（ａ）はその正面図、（ｂ）はその側面図
【図９】（ａ）、（ｂ）は、図６のボックスカバー、図８の配線用ボックスで構成される配線用ボックス装置の使用方法を説明する要部斜視図、（ｃ）は（ｂ）の要部断面図
【図１０】背景技術である配線用ボックス装置の一例を示すもので、（ａ）はそのボックスカバーの斜視図、（ｂ）はその配線用ボックス装置の使用状態を示す横断面図
【符号の説明】
【００９７】
１、１Ａ          ボックスカバー
１ａ        開口部
２、２Ｃ          被係合部
２Ａ        第一被係合部
２Ｂ        第二被係合部
３、３Ａ、３Ｂ          変形防止部
４          規制部
５、５Ａ          配線用ボックス
５ａ        側壁
５ｂ        開口
５ｃ        開口面
６、６Ｃ          係合部
６Ａ        第一係合部
６Ｂ        第二係合部
１０、１０Ａ          配線用ボックス装置
【図１】
0004585427.tif 000002
【図２】
0004585427.tif 000003
【図３】
0004585427.tif 000004
【図４】
0004585427.tif 000005
【図５】
0004585427.tif 000006
【図６】
0004585427.tif 000007
【図７】
0004585427.tif 000008
【図８】
0004585427.tif 000009
【図９】
0004585427.tif 000010
【図１０】
0004585427.tif 000011